(57)【要約】測定試料及び分散媒が収容される測定セル２及び参照試料が収容される参照セル６を保持し、モータ３２２により回転されるセル保持体３１と、磁力又は静電容量を利用して、所定の回転位置を通過するセル２、６を判別するセル判別機構７とを備える粒径分布測定装置である。
2020090765.tif 000002
【特許請求の範囲】
【請求項１】
測定試料及び分散媒が収容される測定セル及び参照試料が収容される参照セルを保持し、モータにより回転されるセル保持体と、
磁力又は静電容量を利用して、所定の回転位置を通過する前記セルを判別するセル判別機構とを備える、遠心沈降式の粒径分布測定装置。
【請求項２】
前記セル判別機構は、磁石と磁気検出素子とを有し、
前記磁石は、前記セル保持体又は前記セル保持体に接続された回転軸に設けられている、請求項１記載の遠心沈降式の粒径分布測定装置。
【請求項３】
前記磁石は、前記セル保持体において同心円状に複数設けられており、
前記測定セルを判別するための磁石と、前記参照セルを判別するための磁石とで周方向における配置パターンが互いに異なる、請求項２記載の遠心沈降式の粒径分布測定装置。
【請求項４】
前記回転軸は、フレキシブルシャフトである、請求項２又は３記載の遠心沈降式の粒径分布測定装置。
【請求項５】
前記セルに光を照射する光照射部と、
前記セルを透過した光を検出する光検出部と、
前記光検出部からの光強度信号を取得して、粒径分布を算出する粒径分布演算部とをさらに備える、請求項１乃至４の何れか一項に記載の遠心沈降式の粒径分布測定装置。
【請求項６】
前記モータにエンコーダが設けられており、
前記セル判別機構は、前記エンコーダの出力信号と、磁力又は静電容量による変化とに基づいて前記セルを判別するセル判別部を有する、請求項５の何れか一項に記載の遠心沈降式の粒径分布測定装置。
【請求項７】
前記セル判別部及び前記粒径分布演算部は、前記エンコーダの出力信号と同期して信号処理を行うものである、請求項６記載の遠心沈降式の粒径分布測定装置。
【請求項８】
前記セル判別部は、前記エンコーダの出力信号及び磁力又は静電容量による変化を示す検出信号を取得して前記セルを判別し、その判別信号を前記粒径分布演算部に送信するものであり、
前記粒径分布演算部は、前記判別信号に基づいて、前記光検出部の光強度信号を前記測定セルを透過した光と前記参照セルを透過した光とに区別して演算処理を行う、請求項７記載の遠心沈降式の粒径分布測定装置。
【請求項９】
前記セル保持体と前記測定セル又は前記参照セルとの間に介在して設けられ、前記測定セル又は前記参照セルに加わる遠心力を分散させて前記測定セル又は前記参照セルの破損を防止するセル保護部材をさらに備えている、請求項１乃至８の何れか一項に記載の遠心沈降式の粒径分布測定装置。
【請求項１０】
前記セル保持体による前記測定セルの回転領域と対向する位置に設けられた検出機器と、
前記測定セルに加わる遠心力を分散させて前記測定セルの破損を防止するセル保護部材とを備え、
前記セル保護部材に前記検出機器に対応して透過部が形成されている、請求項１乃至８の何れか一項に記載の遠心沈降式の粒径分布測定装置。
【請求項１１】
透光性樹脂製の前記測定セルが取り付けられ、前記モータにより回転される金属製の前記セル保持体と、
前記セル保持体による前記測定セルの回転領域を挟んで設けられ、前記検出機器を構成する光源及び光検出器とを備え、
前記セル保護部材は、前記光源から前記光検出器に対して光が透過する光透過部が形成されている、請求項１０に記載の遠心沈降式の粒径分布測定装置。
【請求項１２】
前記セル保持体を回転可能に収容する収容空間を有しており、
前記収容空間を形成する上壁において、前記セル保持体の回転中心軸上に吸気口が形成されている、請求項１乃至１１の何れか一項に記載の遠心沈降式の粒径分布測定装置。
【請求項１３】
前記吸気口にはフィルタが設けられている、請求項１２記載の遠心沈降式の粒径分布測定装置。
【請求項１４】
前記セル判別機構は、凹部又は凸部と距離測定素子とを有し、
前記凹部又は凸部は、前記セル保持体又は前記セル保持体に接続された回転軸に設けられている、請求項１記載の遠心沈降式の粒径分布測定装置。
【発明の詳細な説明】
【技術分野】
【０００１】
本発明は、遠心沈降式の粒径分布測定装置に関するものである。
【背景技術】
【０００２】
従来の遠心沈降式の粒径分布測定装置としては、非特許文献１に示すように、測定試料及び分散媒を収容した測定セルを回転させ、分散媒中で測定試料中の粒子を沈降させて、測定試料の粒径分布を測定するものがある。【０００３】
ここで、測定セルはモータにより回転される回転ディスクに装着されており、当該回転ディスクを挟んで測定光学系である光源及び光検出器が設けられている。また、この回転ディスクには、重量バランスのために分散媒のみを収容した参照セルが設けられている。また、参照セルは、当該参照セルを透過した参照光量を基準として、測定セルを透過した測定光量を補正することにより、光源の光量変化の影響を排除するためのものでもある。【０００４】
上記構成により測定光学系の光検出器は、測定セルを透過した光と参照セルを透過した光とを交互に検出し、当該光検出器からの光強度信号は交互にＣＰＵに入力される。このため、それらの信号を区別するための判別光学系である光源及び光検出器が設けられている。これら判別用光学系である光源及び光検出器も、測定光学系と同様に、回転ディスクを挟んで設けられている。【０００５】
しかしながら、判別光学系の光源からの光が迷光となり、測定光学系の光検出器により検出される恐れがある。測定光学系の光検出器が判別光学系の光源からの迷光を検出した場合には、粒径分布測定の測定精度が下がってしまうという問題がある。
【先行技術文献】
【非特許文献】
【０００６】
【非特許文献１】東川  喜昭、「自然／遠心沈降式粒度分布測定装置ＣＡＰＡ−７００」、Ｒｅａｄｏｕｔ、株式会社堀場製作所、１９９２年１月、Ｎｏ．４、ｐ．２３−２９
【発明の概要】
【発明が解決しようとする課題】
【０００７】
そこで本発明は上記問題点を解決すべくなされたものであり、セルを判別するための判別光学系を不要にして判別光学系により生じる迷光を無くし、測定光学系による測定精度を向上させることをその主たる課題とするものである。
【課題を解決するための手段】
【０００８】
すなわち本発明に係る遠心沈降式の粒径分布測定装置は、測定試料及び分散媒が収容される測定セル及び参照試料が収容される参照セルを保持し、モータにより回転されるセル保持体と、磁力又は静電容量を利用して、所定の回転位置を通過する前記セルを判別するセル判別機構とを備えることを特徴とする。【０００９】
このようなものであれば、磁力又は静電容量を利用したセル判別機構により所定の回転位置を通過するセルを判別するので、従来の判別光学系が不要となる。その結果、判別光学系により生じる迷光を無くし、測定光学系による測定精度を向上させることができる。【００１０】
前記セル判別機構としては、磁石と磁気検出素子とを有するものが考えられる。この場合、磁石の具体的な配置態様としては、前記磁石は、前記セル保持体又は前記セル保持体に接続された回転軸に設けられていることが望ましい。
この構成であれば、回転系であるセル保持体又は回転軸に磁石を設けているので、磁気検出素子を固定側に設けることができ、装置構成を簡単にすることができる。【００１１】
前記磁石は、前記セル保持体において同心円状に複数設けられており、前記測定セルを判別するための磁石と、前記参照セルを判別するための磁石とで周方向における配置パターンが互いに異なることが望ましい。
この構成であれば、回転中において磁気検出素子による磁気検出タイミングによりセルを判別することができる。【００１２】
セル保持体の振動を吸収して安定して回転させるためには、前記回転軸は、フレキシブルシャフトであることが望ましい。【００１３】
遠心沈降式の粒径分布測定装置は、前記セルに光を照射する光照射部と、前記セルを透過した光を検出する光検出部と、前記光検出部からの光強度信号を取得して、粒径分布を算出する粒径分布演算部とをさらに備えている。【００１４】
セル保持体の回転速度に応じて磁力又は静電容量による変化の検出タイミング（例えば磁気検出素子による磁気検出タイミング）が異なることになる。このため、前記モータにエンコーダが設けられている場合には、前記セル判別機構は、前記エンコーダの出力信号と、磁力又は静電容量による変化とに基づいて前記セルを判別するセル判別部を有することが望ましい。
この構成であれば、エンコーダによりモータ（セル保持体）の回転速度がわかり、当該回転速度に応じた磁力又は静電容量による変化の検出タイミングによりセルを判別することができる。具体的には、回転速度に応じた磁気検出素子による磁気検出タイミングによりセルを判別することができる。【００１５】
前記セル判別部及び前記粒径分布演算部は、前記エンコーダの出力信号と同期して信号処理を行うものであることが望ましい。【００１６】
具体的には、前記セル判別部は、前記エンコーダの出力信号及び磁力又は静電容量による変化を示す検出信号を取得して前記セルを判別し、その判別信号を前記粒径分布演算部に送信するものであり、前記粒径分布演算部は、前記判別信号に基づいて、前記光検出部の光強度信号を前記測定セルを透過した光と前記参照セルを透過した光とに区別して演算処理を行うことが望ましい。【００１７】
回転により測定セル又は参照セルが破損しないようにするためには、前記セル保持体と前記測定セル又は前記参照セルとの間に介在して設けられ、前記測定セル又は前記参照セルに加わる遠心力を分散させて前記測定セル又は前記参照セルの破損を防止するセル保護部材をさらに備えていることが望ましい。【００１８】
また、遠心沈降式の粒径分布測定装置は、前記セル保持体による前記測定セルの回転領域と対向する位置に設けられた検出機器と、前記測定セルに加わる遠心力を分散させて前記測定セルの破損を防止するセル保護部材とを備え、前記セル保護部材に前記検出機器に対応して透過部が形成されていることが望ましい。【００１９】
具体的に遠心沈降式の粒径分布測定装置は、透光性樹脂製の前記測定セルが取り付けられ、前記モータにより回転される金属製の前記セル保持体と、前記セル保持体による前記測定セルの回転領域を挟んで設けられ、前記検出機器を構成する光源及び光検出器とを備え、前記セル保護部材は、前記光源から前記光検出器に対して光が透過する光透過部が形成されていることが望ましい。【００２０】
遠心沈降式の粒径分布測定装置は、前記セル保持体を回転可能に収容する収容空間を有している。この収容空間においてセル保持体が回転すると、セル保持体の回転中心部が負圧となる。この特性を生かして、前記収容空間を形成する上壁において、前記セル保持体の回転中心軸上に吸気口が形成されていることが望ましい。ここで、前記吸気口にはフィルタが設けられていることが望ましい。【００２１】
その他、前記セル判別機構としては、凹部又は凸部と距離測定素子とを有するものが考えられる。この場合、磁石の具体的な配置態様としては、前記凹部又は凸部は、前記セル保持体又は前記セル保持体に接続された回転軸に設けられていることが望ましい。
【発明の効果】
【００２２】
以上に述べた本発明によれば、セルを判別するための判別光学系を不要にして判別光学系により生じる迷光を無くし、測定光学系による測定精度を向上させることができる。
【図面の簡単な説明】
【００２３】
【図１】本実施形態の遠心沈降式の粒径分布測定装置の構成を模式的に示す図である。
【図２】同実施形態のセル保持体における磁石の配置パターンを示す模式図である。
【図３】同実施形態のエンコーダ、磁気検出素子及び光検出器の信号を示す模式図である。
【図４】セル判別機構の変形例を示す模式図である。
【図５】変形実施形態の遠心沈降式の粒径分布測定装置の構成を模式的に示す図である。
【図６】変形実施形態の遠心沈降式の粒径分布測定装置の構成を模式的に示す図である。
【図７】変形実施形態の遠心沈降式の粒径分布測定装置の構成を模式的に示す図である。
【図８】変形実施形態の遠心沈降式の粒径分布測定装置の構成を模式的に示す図である。
【図９】変形実施形態のセル保持体における磁石の配置パターンを示す模式図である。
【図１０】変形実施形態のエンコーダ、磁気検出素子及び光検出器の信号を示す模式図である。
【符号の説明】
【００２４】
１００・・・遠心沈降式の粒径分布測定装置
２    ・・・測定セル
３    ・・・セル回転機構
３１  ・・・セル保持体
３４  ・・・セル保護部材
４    ・・・光照射部
５    ・・・光検出部
６    ・・・参照セル
７    ・・・セル判別機構
７１  ・・・磁石
７２  ・・・磁気検出素子
１２  ・・・セル判別部
【発明を実施するための形態】
【００２５】
以下、本発明の一実施形態に係る遠心沈降式の粒径分布測定装置について、図面を参照しながら説明する。
【００２６】
本実施形態の遠心沈降式の粒径分布測定装置１００は、図１に示すように、測定試料及び分散媒（例えば水）からなる試料懸濁液を収容する測定セル２と、当該測定セル２を回転させるセル回転機構３と、当該セル回転機構３による測定セル２の回転通過領域を挟んで設けられた光照射部４及び光検出部５とを備えている。
【００２７】
測定セル２は、例えば樹脂製の透光性を有する材料から形成された角形セルである。本実施形態では、参照セル６も設けられており、当該参照セル６には分散媒である水が収容されている。
【００２８】
セル回転機構３は、測定セル２及び参照セル６が着脱可能に取り付けられるセル保持体３１と、当該セル保持体３１を回転させる回転部３２とを有している。
【００２９】
セル保持体３１は、例えば円盤形状をなすものであり、その回転中心を挟むように測定セル２及び参照セル６が取り付けられる。なお、セル保持体３１は、金属製のものである。
【００３０】
また、セル保持体３１の上面には、測定セル２及び参照セル６が回転中に不意に外れないようにするためのカバー体３３が設けられている（図１参照）。
【００３１】
さらに、セル保持体３１には、保持体３１及びセル２、６の間に介在して設けられ、セル２、６に加わる遠心力を受けて分散させてセル２、６の破損を防止するセル保護部材３４が設けられている。このセル保護部材３４は、例えば測定セル２と同じ樹脂製である。セル保護部材３４はセル２、６とともにセル保持体３１から取り外すことができる。
【００３２】
このセル保持体３１は、粒径分布測定装置１００の筐体の内部に形成された収容空間Ｓに収容されている。そして、収容空間Ｓには循環流路Ｒが接続されている。この循環流路Ｒの一端は、収容空間Ｓの上壁に接続されており、循環流路Ｒの他端は、収容空間Ｓの側壁に接続されている。このように接続された循環流路Ｒは、収容空間Ｓに接続された一端が負圧となり、径方向外側に接続された他端が正圧となる。その結果、循環流路Ｒにおいては他端から一端に向かって気体が流れ、一端の開口が吸気口Ｒ１となる。ここで、吸気口Ｒ１は、収容空間Ｓの上壁においてセル保持体３１の回転中心軸上に位置している。
【００３３】
回転部３２は、図１に示すように、セル保持体３１の下面における中心部に接続された回転軸３２１と、当該回転軸３２１を回転させるモータ３２２とを有している。回転軸３２１は、可撓自在のものであり、セル保持体３１の振動を吸収するとともに高速回転が可能なフレキシブルシャフトにより構成されている。また、モータ３２２にはエンコーダ３２３が設けられている。そして、エンコーダ３２３の出力信号を取得した制御部１０が、モータ３２２の回転数を制御する。なお、回転軸３２１は、セル保持体３１に一体形成されたものであってもよいし、別体に形成されたものであっても良い。また、回転軸３２１は、１つの部材から構成されるものであってもよいし、複数の部材を接続して構成されたものであっても良い。
【００３４】
光照射部４は、図１に示すように、セル２、６の回転通過領域（セル保持体３１）の下方に設けられている。本実施形態の光照射部４は、例えばＬＥＤなどの光源４１と、当該光源４１から出射された光を集光する集光レンズ４２とを有している。光照射部４により射出された光は、セル保持体３１に形成された光通過孔３１ｈ及びセル保護部材３４に形成された光通過孔３４ｈ１を通って測定セル２又は参照セル６に照射される。
【００３５】
光検出部５は、図１に示すように、セル２、６の回転通過領域（セル保持体３１）の上方に設けられている。本実施形態の光検出部５は、光検出器５１と、当該光検出器５１により検出される光を集光する集光レンズ５２とを有している。光検出部５により検出される光は、セル２、６を透過してセル保護部材３４に形成された光通過孔３４ｈ２及びカバー体３３に形成された光通過孔３３ｈを通り、集光レンズ５２により集光される。
【００３６】
光検出器５１により得られた光強度信号は、粒径分布演算部１１により取得されて、粒径分布演算部１１によって粒径分布データが算出される。なお、粒径分布演算部１１は、光強度信号を吸光度に換算し、その時間変化から粒径分布データを算出する。当該粒径分布データは、図示しない表示部によってディスプレイ上に表示される。
【００３７】
しかして本実施形態の遠心沈降式の粒径分布測定装置１００は、図１に示すように、所定の回転位置を通過するセルを判別するための磁石７１及び磁気検出素子７２を有するセル判別機構７を備えている。所定の回転位置は、光源４１及び光検出器５１の間の測定空間である。
【００３８】
磁石７１は、セル保持体３１に設けられている。具体的に磁石７１は、図２に示すように、セル保持体３１において同心円状に複数設けられている。複数の磁石７１には、測定セル２を判別するための磁石７１ａと、参照セル６を判別するための磁石７１ｂとがある。
【００３９】
そして、測定セル２を判別するための磁石７１ａと参照セル６を判別するための磁石７１ｂとは周方向における配置パターンが互いに異なる。本実施形態では、いずれのセル２、６を判別するための磁石７１も２つであり、それらの周方向における間隔が互いに異なるように構成されている。図２では、測定セル２を判別するための２つの磁石７１ａは短い間隔であり、参照セル６を判別するための２つの磁石７１ｂは長い間隔としてある。なお、これらは逆であっても良い。その他の具体的配置は、図２のとおりである。
【００４０】
磁気検出素子７２は、固定側において磁石７１と対向して設けられ、ホール効果を用いて磁束密度を測定するホールセンサである。この磁気検出素子７２は、磁石７１の回転軌道における一箇所に設けられている。
【００４１】
そして、磁気検出素子７２の検出信号は、セル判別部１２に入力される。セル判別部１２は、磁気検出素子７２の検出信号を取得してセル２、６を判別し、その判別信号を粒径分布演算部１１に送信する。粒径分布演算部１１は、その判別信号に基づいて、光検出器５１の光強度信号を測定セル２を透過した光と参照セル６を透過した光とに区別して演算処理を行う。このようにして、セル判別部１２及び粒径分布演算部１１は、エンコーダ３２３の出力信号と同期して信号処理を行う。
【００４２】
ここで、セル判別部１２は、図３に示すように、セル回転機構３のモータ３２２に設けられたエンコーダ３２３の出力信号を取得して、当該エンコーダ３２３の出力信号と、磁気検出素子７２の検出信号とに基づいて、セル２、６を判別する。なお、図３では、エンコーダの出力信号は、１周で３６パルス出力されるものであり、測定セル判別用の回転後方の磁石７１ａ（磁石「２」）と、参照セル判別用の回転後方の磁石７１ｂ（磁石「４」）との検出間隔が、回転速度に応じて、１．６６７ｍｓｅｃ〜６０ｍｓｅｃの間で変化することを示している。
【００４３】
具体的にセル判別部１２は、磁石７１が検出される検出間隔においてエンコーダ３２３の出力信号（パルス信号）の個数を示すデータを記憶している。例えば、測定セル判別用の２つの磁石７１ａの検出間隔において４個の出力信号（パルス信号）が検出されることを記憶している。また、参照セル判別用の２つの磁石７１ｂの検出間隔において７個の出力信号（パルス信号）が検出されることを記憶している。その他、測定セル判別用の回転後方の磁石７１ａと、参照セル判別用の回転前方の磁石７１ｂとの検出間隔において１１個の出力信号（パルス信号）が検出されることを記憶している。また、参照セル判別用の回転後方の磁石７１ｂと、測定セル判別用の回転前方の磁石７１ａとの検出間隔において１４個の出力信号（パルス信号）が検出されることを記憶している。
【００４４】
そして、セル判別部１２は、直前の磁気検出信号からのパルス信号の個数をカウントして次の磁気検出信号が検出された際のパルス信号のカウント数に基づいて、測定セル判別用の磁石７１ａを検出したか、参照セル判別用の磁石７１ｂを検出したかを判断する。これにより、セル判別部１２は、所定の回転位置を通過するセル２、６を判別する。
【００４５】
＜本実施形態の効果＞
本実施形態の遠心沈降式の粒径分布測定装置１００によれば、磁石７１及び磁気検出素子７２を有するセル判別機構７により所定の回転位置を通過するセル２、６を判別するので、従来の判別光学系が不要となる。その結果、判別光学系により生じる迷光を無くし、粒径分布測定の測定精度を向上させることができる。
【００４６】
＜その他の変形実施形態＞
なお、本発明は前記実施形態に限られるものではない。
【００４７】
例えば、セル判別部１２は、エンコーダ３２３の出力信号からモータ３２２（セル保持体３１）の回転速度を検出し、当該回転速度に応じて各磁石７１の検出間隔時間を求めて、各磁石７１の検出間隔により測定セル判別用の磁石７１ａを検出したか、参照セル判別用の磁石７１ｂを検出したかを判断しても良い。
【００４８】
前記実施形態では、セル判別部１２がエンコーダ３２３の出力信号と磁気検出素子７２の検出信号との両方を用いてセル判別を行うものであったが、エンコーダ３２３の出力信号を用いることなく、磁気検出素子７２の検出信号のみを用いてセル判別を行うものであっても良い。
【００４９】
また、前記実施形態では、各セル２、６を判別するための磁気検出素子７２が共通のものであったが、測定セル２を判別するための磁気検出素子７２と参照セル６を判別するための磁気検出素子７２とをそれぞれ設けても良い。この場合、測定セル２を判別するための磁石７１ａと、参照セル６を判別するための磁石７１ｂとを径方向において異なる位置に設けて、相互の誤検出を防ぐようにすることが考えられる。
【００５０】
さらに、磁石７１を設ける位置は、セル保持体３１の下面に限られず、側面であっても良いし、上面であっても良い。磁石７１をセル保持体３１の側面に設けた場合には、磁気検出素子７２は、その側方、具体的には、セル保持体３１の収容空間の側壁に設けることが考えられる。磁石７１をセル保持体３１の上面に設けた場合には、磁気検出素子７２は、その上方、具体的には、セル保持体３１の収容空間の上壁に設けることが考えられる。
【００５１】
セル判別機構７は、前記実施形態の他に、磁力又は静電容量を利用する構成であればよく、例えば、図４に示す物が考えられる。図４（ａ）は、前記実施形態の磁石７１に磁性体７３を組み合わせて磁束密度を大きくする構成である。図４（ｂ）は、セル保持体３１又は回転軸３２１などに凸部７４を設けて、当該凸部７４との距離を測定する例えば近接スイッチ等の距離測定素子７５によりセル２、６を判別する構成である。図４（ｃ）は、セル保持体３１又は回転軸３２１などに凹部７６を設けて、当該凹部７６との距離を測定する例えば近接スイッチ等の距離測定素子７５によりセル２、６を判別する構成である。なお、近接スイッチとしては、高周波発振型又は磁気型等の磁界を利用するものであってもよいし、静電容量型等の電界を利用するものであっても良い。
【００５２】
また、図５〜図８に示すように、収容空間Ｓの上壁が収容容器Ｃの開閉蓋により構成されており、当該開閉蓋に試料導入部８が形成されている場合には、当該試料導入部８を用いて循環流路Ｒを構成しても良い。この場合、循環流路Ｒの吸気口Ｒ１が試料導入部８に形成されることになる。なお、試料導入部８は、セル保持体の回転中心部に対応して設けられている。図５は、試料導入部８が貫通孔より構成された例であり、図６〜図８は、試料導入部８が試料導入針８１を有する構成である。また、図８には、吸気口Ｒ１にフィルタＦが設けられた例である。
【００５３】
前記実施形態では、測定セルに光を照射してその透過光を検出するものであったが、測定セルに同位体試料や自発光試料を収容する場合には、光照射部を設けない構成としても良い。
【００５４】
また前記実施形態では、セル判別機構７は磁石７１ａと磁石７１ｂを２つずつ備えていたがこれに限らない。他の実施形態では、磁石７１ａ又は磁石７１ｂの一方を２つ備え、他方を１つのみ備え、それらの周方向における間隔が互いに異なるように構成されてもよい。具体的には図９に示すように、測定セル２を判別するための磁石７１ａを２つ備え、参照セル６を判別するための磁石７１ｂを１つ備えても良い。なお、これらは逆であっても良い。その他の具体的配置は図９のとおりである。
【００５５】
この場合エンコーダの出力信号は、図１０に示すように、１周で９パルス出力されるように構成されてよい。そしてセル判別部１２は、測定セル判別用の２つの磁石７１ａの検出間隔において１個の出力信号（パルス信号）が検出されることを記憶し、測定セル判別用の回転後方の磁石７１ａ（磁石「２」）と、参照セル判別用の磁石７１ｂ（磁石「３」）との検出間隔において４個の出力信号（パルス信号）が検出されることを記憶し、参照セル判別用の磁石７１ｂと、測定セル判別用の回転前方の磁石７１ａ（磁石「１」）との検出間隔において３個の出力信号（パルス信号）が検出されることを記憶するように構成されてよい。
【００５６】
その他、本発明の趣旨に反しない限りにおいて様々な実施形態の変形や組み合わせを行っても構わない。
【産業上の利用可能性】
【００５７】
本発明によれば、セルを判別するための判別光学系を不要にして判別光学系により生じる迷光を無くし、測定光学系による測定精度を向上させることができる。
【図１】
2020090765.tif 000003
【図２】
2020090765.tif 000004
【図３】
2020090765.tif 000005
【図４】
2020090765.tif 000006
【図５】
2020090765.tif 000007
【図６】
2020090765.tif 000008
【図７】
2020090765.tif 000009
【図８】
2020090765.tif 000010
【図９】
2020090765.tif 000011
【図１０】
2020090765.tif 000012
【国際調査報告】
2020090765.tif 000013
2020090765.tif 000014
2020090765.tif 000015
2020090765.tif 000016
2020090765.tif 000017
2020090765.tif 000018